【手続補正書】
【提出日】平成19年5月28日(2007.5.28)
【手続補正１】
【補正対象書類名】特許請求の範囲
【補正対象項目名】全文
【補正方法】変更
【補正の内容】
【特許請求の範囲】
【請求項１】
シェルと、
該シェル内で懸架されたリニアコンプレッサであって、前記シェル内で該リニアコンプレッサを取り囲むガス空間が設けられるように前記シェルで取り囲まれ、シリンダ内で往復動可能なピストンと前記ガス空間から前記シリンダ内への吸入ガス通路とを有するリニアコンプレッサと、
前記シェルガス空間への吸入ガス入口と、
前記シリンダから前記シェルの外に出る圧縮ガス経路と、
該ガス空間に設けられ、前記ガス空間の第１領域と前記ガス空間の第２領域とを実質的に分割し、前記第１領域と第２領域との間のガス流を抑制するガス流抑制装置と、を備え、
前記吸入ガス入口及び前記吸入ガス通路は、前記第１領域に通事、前記圧縮ガス経路は、前記第２領域を通過している、
ことを特徴とする内蔵コンプレッサ。
【請求項２】
前記ガス流抑制装置は、前記ガス空間の環状抑制部を含む、
請求項１に記載の内蔵コンプレッサ。
【請求項３】
前記シェルは、全体的に細長い容器であり、その長さに沿ってネック部通路を含み、該シェルの内面は、前記第１及び第２領域におけるよりも該ネックの領域において前記リニアコンプレッサに接近している、
請求項２に記載の内蔵コンプレッサ。
【請求項４】
前記吸入ガス通路は、前記ピストンを通って延びている、
請求項１ないし３のいずれか１項に記載の内蔵コンプレッサ。
【請求項５】
前記圧縮ガス経路は、前記リニアコンプレッサと接続された排出ヘッドを含み、該排出ヘッドは、排出ガスチャンバを形成する内壁面と、前記ガス空間の前記第２領域内の外壁面と、該内面と該外面の間の断熱部とを含む、
請求項１ないし４のいずれか１項に記載の内蔵コンプレッサ。
【請求項６】
前記断熱部は、内壁と外壁の間の実質的に囲まれた空間を含み、該囲まれた空間は、該空間が作業ガスの特性及び予想作動条件と共に２０，０００よりも小さなレイリー数（Ｒａ）を与えるほど十分に小さい１つの空間寸法を有する、
請求項５に記載の内蔵コンプレッサ。
【請求項７】
前記シリンダは、
シリンダ壁を形成するシリンダハウジングと、
シリンダ端部を形成し、前記圧縮ガス経路への１または２以上の排出開口部を含むバルブプレートと、
前記バルブプレートと前記シリンダハウジングの間に挟まれた断熱部と、備えている、
請求項１ないし６のいずれか１項に記載の内蔵コンプレッサ。
【請求項８】
前記断熱部は、厚いポリマー性密封ガスケットを含む、
請求項７に記載の内蔵コンプレッサ。
【請求項９】
細長いコンプレッサと、
該コンプレッサを取り囲み、外面が長手方向の軸線を横切る少なくとも１つの有意な環状中空部を有する細長い中空シェルと、を備え、
前記細長いコンプレッサは、それが前記中空部を通るように前記シェル内に支持されている、
ことを特徴とする内蔵コンプレッサ。
【請求項１０】
前記シェルは、前記中空部によって第１のローブ及び第２のローブに分割されており、該中空部は、該２つのローブを接合するウエスト部を形成し、該ウエスト部は、前記２つのローブよりも狭い、
請求項９に記載の内蔵コンプレッサ。
【請求項１１】
前記コンプレッサは、リニアコンプレッサであり、
該リニアコンプレッサを取り囲む前記シェル内のガス空間が設けられ、
該リニアコンプレッサは、シリンダ内で往復動可能なピストンと、該ガス空間から該シリンダ内への吸入ガス通路とを有し、
該シェルの第１のローブ内の前記シェルガス空間への吸入ガス入口と、前記シェルの第２のローブを通して前記シリンダからシェルの外への圧縮ガス経路とが設けられている、
請求項１０に記載の内蔵コンプレッサ。
【請求項１２】
圧縮空間を形成する閉鎖端部を備えたシリンダ内を往復するピストンを含むコンプレッサにおいて、
離間した位置でピストンの面を出る、ピストンを通る複数の通路と、
前記ピストンの面の中央に固定されたハブと、外縁がシリンダの壁から離間し前記通路出口を覆う前記ハブの回りの環と、該ハブの回りに間隔をおいて該ハブと前記環の間に延びる３又は５本のスポークとを有する平面バルブ部材とを含む、圧縮空間への吸入口を備えている、
ことを特徴とするコンプレッサ。
【請求項１３】
圧縮空間を形成する閉鎖端部を備えたシリンダ内を往復するピストンを含むコンプレッサにおいて、
離間した位置でピストンの面を出る、ピストンを通る複数の通路と、
前記ピストンの面の中央に固定されたハブと、前記通路出口を覆う該ハブの回りの環と、該ハブの回りに該ハブと該環の間に間隔をおいて延び、各々が蛇行して該ハブと該環の間の半径方向距離よりもかなり長い複数のスポークとを有する平面バルブ部材とを含む、圧縮空間への吸入口を含む、
ことを特徴とするコンプレッサ。
【請求項１４】
質量中心が実質的にコンプレッサの作動平面内で振動するアセンブリ上の取付連結部を有するコンプレッサと、
前記コンプレッサを封入するシェルと、
前記取付連結部と前記シェルの間を接続し、前記コンプレッサを上下方向に支持する低い曲げ剛性を有する複数の支持部材と、を備え、
各前記支持部材は、一端が前記コンプレッサ取付点で、他端が前記シェルに連結され、その間に「曲げ中心」を有し、
各支持部材の前記曲げ中心は、前記振動平面と同一平面にある、
ことを特徴とする内蔵コンプレッサ。
【請求項１５】
各前記支持部材は、コイルバネであり、該コイルバネの各々の曲げ剛性は、中点に関して対称であり、該コイルバネの中点は、前記振動平面と同一平面にある、
請求項１４に記載の内蔵コンプレッサ。
【請求項１６】
各前記コイルバネは、中心線を有し前記シェルから前記コンプレッサまで延びており、該中心線は、前記ピストン往復軸に対して直交している、
ことを特徴とする請求項１５に記載の内蔵コンプレッサ。
【請求項１７】
前記リニアコンプレッサは、前記振動平面にわたって実質的に対称であり、前記アセンブリの前記取付連結部は、前記平面の上方にあり、前記バネは、前記平面の下方で前記シェルに取付けられている、
請求項１６に記載の内蔵コンプレッサ。
【請求項１８】
前記取付連結部は、コンプレッサの周縁の外側にあり、前記支持バネは、コンプレッサの高さよりも短い、
請求項１７に記載の内蔵コンプレッサ。
【請求項１９】
シリンダ内を往復するピストンを含み、吸入ガス通路が該ピストンを通っているコンプレッサであって、前記シリンダが、
シリンダ壁を形成するシリンダハウジングと、
シリンダ端部を形成し圧縮ガス通路への１または２以上の排出開口部を含むバルブプレートと、
前記バルブプレートとシリンダハウジングの間に挟まれた断熱部と、を備えている、
ことを特徴とするコンプレッサ。
【請求項２０】
前記断熱部は、厚いポリマー性密封ガスケットを含む、
請求項１９に記載のコンプレッサ。
【請求項２１】
シェルと、
該シェル内で懸架されたリニアコンプレッサであって、前記シェル内で該リニアコンプレッサを取り囲むガス空間が設けられるように前記シェルで取り囲まれ、シリンダ内で往復動可能なピストンと前記ガス空間から前記シリンダ内への吸入ガス通路とを有するリニアコンプレッサと、
前記シェルガス空間への吸入ガス入口と、
リニアコンプレッサに接続した排出ヘッドを含む、前記シリンダから前記シェルの外に出る圧縮ガス経路と、を備え、
前記排出ヘッドは、排出ガスチャンバを形成する内壁面と、前記ガス空間の第２領域内の外壁面と、該内面と該外面の間の断熱部とを有する、
ことを特徴とする内蔵コンプレッサ。
【請求項２２】
前記断熱部は、内壁と外壁の間に封入されたガス空間を含み、該ガス空間は、該空間が作業ガスの特性及び予想作動条件と共に２０，０００よりも小さいレイリー数（Ｒａ）を与えるほど十分に小さい１つの空間寸法を有する、
請求項２１に記載の内蔵コンプレッサ。
【請求項２３】
前記吸入ガス通路は、前記排出ヘッドを回避する、
請求項２１又は２２に記載の内蔵コンプレッサ。
【請求項２４】
シリンダ内をオイル潤滑なしで往復するピストンを含み、吸入ガス通路が前記ピストンを通っているコンプレッサであって、前記シリンダが、
シリンダ壁を形成するシリンダハウジングと、
シリンダ端部を形成し、圧縮ガス通路への１または２以上の排出開口部を含むバルブプレートと、
前記バルブプレートと前記シリンダハウジングの間に挟まれた厚いポリマー性密封ガスケットと、備えている、
ことを特徴とするコンプレッサ。
【請求項２５】
密封シェル内に弾性的に支持されたリニアコンプレッサを含み、該コンプレッサの構成が実質的に一定な軸線上の周期的な移動を予想させる冷凍コンプレッサにおいて、
リニアコンプレッサとシェルの間に延びている供給経路を含み、
前記供給経路は、予想される周期的移動の軸に平行な平面内にあるループとして形成され、
前記ループの端部は、前記平面に直交する軸を中心としたモーメントに抵抗するように、実質的に平行であり、それぞれ前記コンプレッサと前記シェルとに取付けられている、
ことを特徴とする冷凍コンプレッサ。
【請求項２６】
前記供給経路の前記端部は、前記コンプレッサの前記予想移動軸と平行に取付けられている、
請求項２５に記載の冷凍コンプレッサ。
【請求項２７】
前記供給経路は、リニア電気モータへの電源経路であり、かつ横断区域によって離間されて該横断区域によって遠位端で接続された一対の実質的に平行な区域を有するループとして形成されたワイヤを含み、該平行区域の遠位端は、それぞれ前記コンプレッサ及び前記シェルに取付けられている、
請求項２５又は２６に記載の冷凍コンプレッサ。
【請求項２８】
前記ループの前記横断区域は、いずれの前記平行区域の前記遠位端とそのそれぞれの取付点との間の距離よりも長い、
請求項２７に記載の冷凍コンプレッサ。